(57)【要約】【課題】  アンテナ設置の自由度が高く、小型化が容易なＶＨＦ帯受信機を提供すること。【解決手段】  ＦＭ受信機１００は、受信した放送波の中から同調周波数とその近傍の放送波を選択的に通過させる同調回路と、局部発振信号を生成する局部発振回路１３と、局部発振回路１３を用いて生成される局部発振信号と同調回路による同調動作によって得られる高周波信号とを周波数混合する混合回路１２とを備えている。同調回路は、磁性芯に巻回されたアンテナコイル１と、アンテナコイル１とともに共振回路を構成する可変容量回路２とを備え、ＶＨＦ帯の同調周波数が設定されている。【選択図】        図１
2006080620.tif 000002
【特許請求の範囲】
【請求項１】
受信した信号の中から同調周波数とその近傍の信号を選択的に通過させる同調回路と、局部発振信号を生成する局部発振回路と、前記局部発振回路を用いて生成される局部発振信号と前記同調回路による同調動作によって得られる高周波信号とを周波数混合する混合回路とを有するＶＨＦ帯受信機において、
前記同調回路は、磁性芯に巻回されたアンテナコイルと、前記アンテナコイルとともに共振回路を構成する容量性回路とを備え、ＶＨＦ帯の前記同調周波数が設定されていることを特徴とするＶＨＦ帯受信機。
【請求項２】
請求項１において、
前記容量性回路は、静電容量が変更可能な可変容量回路であり、
受信対象の信号の周波数に前記同調周波数を一致させる設定動作を行う制御部をさらに備えることを特徴とするＶＨＦ帯受信機。
【請求項３】
請求項２において、
前記局部発振回路は、発振周波数が変更可能であり、
前記制御部は、前記同調回路の同調周波数に連動させて前記局部発振回路の発振周波数を変更する制御を行うことを特徴とするＶＨＦ帯受信機。
【請求項４】
請求項２または３において、
前記可変容量回路は、前記制御部が形成された半導体基板上に形成されていることを特徴とするＶＨＦ帯受信機。
【請求項５】
請求項１〜４のいずれかにおいて、
前記アンテナコイルは、一方端が接地され、他方端が前記容量性回路に直接接続されていることを特徴とするＶＨＦ帯受信機。
【請求項６】
請求項１〜４のいずれかにおいて、
前記アンテナコイルは、接地されたセンタータップを有しており、両端のそれぞれが前記容量性回路の両端に直接接続されていることを特徴とするＶＨＦ帯受信機。
【請求項７】
請求項１〜４、６のいずれかにおいて、
前記容量性回路は、容量値がほぼ同じに設定された第１および第２の容量性素子が直列接続されており、
前記第１および第２の容量性素子の接続点が接地されているとともに、前記容量性回路の両端が前記アンテナコイルの両端に直接接続されていることを特徴とするＶＨＦ帯受信機。
【請求項８】
受信したＶＨＦ帯の信号の中から同調周波数とその近傍の信号を選択的に通過させる同調回路と、前記同調回路の同調周波数を設定する制御部とを有するＶＨＦ帯受信機において、
前記同調回路は、磁性芯に巻回されたアンテナコイルと、前記アンテナコイルに選択的に接続される複数のコンデンサとを備え、
前記制御部は、前記複数のコンデンサの選択状態を変更することにより、前記アンテナコイルとこのアンテナコイルに選択的に接続された前記コンデンサによって決定されるＶＨＦ帯の同調周波数を可変することを特徴とするＶＨＦ帯受信機。
【請求項９】
請求項８において、
前記複数のコンデンサの少なくとも一部には接続状態を断続する複数のスイッチが直列に接続されており、
前記制御部は、前記スイッチの断続状態を変更することにより、前記複数のコンデンサの選択状態を変更することを特徴とするＶＨＦ帯受信機。
【請求項１０】
請求項９において、
一の前記コンデンサに一の前記スイッチが直列に接続された直列回路が複数組備わっており、これら複数組の前記直列回路が前記アンテナコイルに並列に接続されていることを特徴とするＶＨＦ帯受信機。
【請求項１１】
請求項９または１０において、
前記制御部によって発振周波数が設定される局部発振回路と、
前記局部発振回路を用いて生成される局部発振信号と前記同調回路による同調動作によって得られる高周波信号とを周波数混合する混合回路と、
をさらに備えることを特徴とするＶＨＦ帯受信機。
【請求項１２】
請求項９〜１１のいずれかにおいて、
前記複数のコンデンサおよび前記複数のスイッチは、前記制御部が形成された半導体基板上に形成されていることを特徴とするＶＨＦ帯受信機。
【請求項１３】
請求項８〜１２のいずれかにおいて、
前記アンテナコイルは、一方端が接地され、他方端が前記複数のコンデンサに直接接続されていることを特徴とするＶＨＦ帯受信機。
【請求項１４】
請求項８〜１２のいずれかにおいて、
前記アンテナコイルは、接地されたセンタータップを有しており、両端のそれぞれが前記複数のコンデンサの両端に直接接続されていることを特徴とするＶＨＦ帯受信機。
【請求項１５】
請求項８〜１２、１４のいずれかにおいて、
前記複数のコンデンサのそれぞれは、容量値がほぼ同じに設定された２つのコンデンサが直列接続されており、
前記２つのコンデンサの接続点が接地されているとともに、これら２つのコンデンサからなる直列回路の両端が前記アンテナコイルの両端に直接接続されていることを特徴とするＶＨＦ帯受信機。
【発明の詳細な説明】
【技術分野】
【０００１】
本発明は、ＶＨＦ帯の信号を受信するＶＨＦ帯受信機に関する。
【背景技術】
【０００２】
従来から、ＦＭ放送等のＶＨＦ帯の信号を受信する受信機では、ロッドアンテナやイヤホンコード等を利用した線状アンテナが用いられている。しかし、このようなアンテナは、受信機の筐体の外部に露出させる必要があるため、破損しやすいという不都合がある。このような不都合を回避する従来技術としては、長方形枠型の導電素材からなる心材に金属導体を螺旋状に巻き付けたヘリカル・ループ型面界輻射アンテナを用いる受信機が知られている（例えば、特許文献１参照。）。このアンテナを用いることにより、ロッドアンテナや線状アンテナよりもアンテナを含む受信機全体の小型化が可能になる。
【特許文献１】特開平９−９３０２７号公報（第３−６頁、図１−１１）
【発明の開示】
【発明が解決しようとする課題】
【０００３】
ところで、上述した特許文献１に開示されたヘリカル・ループ型面界輻射アンテナは、ロッドアンテナ等に比べると小型化されているが、例えば携帯電話のような携帯機器に内蔵される受信機に用いる場合には比較的大きな占有スペースを確保する必要があって、小型化が不十分であるという問題があった。また、比較的大きな接地スペースが必要であることから、設置場所の変更が容易ではなく、アンテナ設置の自由度が少ないという問題があった。
【０００４】
本発明は、このような点に鑑みて創作されたものであり、その目的は、アンテナ設置の自由度が高く、小型化が容易なＶＨＦ帯受信機を提供することにある。
【課題を解決するための手段】
【０００５】
上述した課題を解決するために、本発明のＶＨＦ帯受信機は、受信した信号の中から同調周波数とその近傍の信号を選択的に通過させる同調回路と、局部発振信号を生成する局部発振回路と、局部発振回路を用いて生成される局部発振信号と同調回路による同調動作によって得られる高周波信号とを周波数混合する混合回路とを有しており、同調回路は、磁性芯に巻回されたアンテナコイルと、アンテナコイルとともに共振回路を構成する容量性回路とを備え、ＶＨＦ帯の同調周波数が設定されている。このように、磁性芯とアンテナコイルとからなるアンテナを用いることにより、小型のアンテナを実現することができるため、アンテナ設置の自由度を高めるとともにＶＨＦ帯受信機全体の小型化が容易となる。例えば、ＦＭ放送波受信用に３００Ωのインピーダンスを有するアンテナを実現する場合には、長さが１ｃｍ程度の磁性芯を用いることができるため、従来のロッドアンテナ、線状アンテナ、ヘリカル・ループ型面界輻射アンテナなどに比べて大幅な小型化が可能になる。
【０００６】
また、上述した容量性回路は、静電容量が変更可能な可変容量回路であり、受信対象の信号の周波数に同調周波数を一致させる設定動作を行う制御部をさらに備えることが望ましい。これにより、受信を希望する信号の周波数近傍の信号を同調回路によって選択的に通過させることができるため、従来のロッドアンテナ等を用いた場合のように固定の同調周波数が設定されている場合に比べて、感度や選択度を向上させることが可能となる。
【０００７】
また、上述した局部発振回路は、発振周波数が変更可能であり、制御部は、同調回路の同調周波数に連動させて局部発振回路の発振周波数を変更する制御を行うことが望ましい。このように、同調回路の同調周波数と局部発振回路の発振周波数とを連動させることにより、さらに感度や選択度を向上させたスーパーへテロダイン方式のＦＭ受信機を実現することが可能になる。例えば、中間周波数に相当する周波数差を維持しながら同調回路の同調周波数と局部発振回路の発振周波数とが変更される。
【０００８】
また、上述した可変容量回路は、制御部が形成された半導体基板上に形成されていることが望ましい。このように、磁性芯に巻回されたアンテナコイルのみを外付け部品として同調周波数が変更可能な同調回路やＦＭ受信機を構成することができ、ＦＭ受信機全体の小型化が可能となる。また、可変容量回路と同じ半導体基板上に形成された制御部による制御が容易になり、かつ、外付け部品を減らすことができる。
【０００９】
また、上述したアンテナコイルは、一方端が接地され、他方端が容量性回路に直接接続されていることが望ましい。アンテナコイルの一方端のみを容量性回路に直接接続すればよいため、配線の簡略化が可能になる。特に、容量性回路を半導体基板上に形成した場合には、アンテナコイルと容量性回路とを直接接続するために用いられる専用のパッドが一つですむため、半導体基板上のパッド数を減らすことができる。
【００１０】
また、上述したアンテナコイルは、接地されたセンタータップを有しており、両端のそれぞれが容量性回路の両端に直接接続されていることが望ましい。あるいは、上述した容量性回路は、容量値がほぼ同じに設定された第１および第２の容量性素子が直列接続されており、第１および第２の容量性素子の接続点が接地されているとともに、容量性回路の両端がアンテナコイルの両端に直接接続されていることが望ましい。これにより、アンテナコイルと容量性回路によって構成される同調回路から出力される信号の振幅を増大させることが可能になり、感度および選択度を向上させることができる。
【００１１】
また、本発明のＶＨＦ帯受信機は、受信したＶＨＦ帯の信号の中から同調周波数とその近傍の信号を選択的に通過させる同調回路と、同調回路の同調周波数を設定する制御部とを有しており、同調回路は、磁性芯に巻回されたアンテナコイルと、アンテナコイルに選択的に接続される複数のコンデンサとを備え、制御部は、複数のコンデンサの選択状態を変更することにより、アンテナコイルとこのアンテナコイルに選択的に接続されたコンデンサによって決定されるＶＨＦ帯の同調周波数を可変している。このように、磁性芯とアンテナコイルとからなるアンテナを用いることにより、小型のアンテナを実現することができるため、アンテナ設置の自由度を高めるとともにＶＨＦ帯受信機全体の小型化が容易となる。また、アンテナコイルに接続されるコンデンサを切り替えることにより、受信を希望する信号の周波数近傍の信号を同調回路によって選択的に通過させることができるため、従来のロッドアンテナ等を用いた場合のように固定の同調周波数が設定されている場合に比べて、感度や選択度を向上させることが可能となる。
【００１２】
また、上述した複数のコンデンサの少なくとも一部には接続状態を断続する複数のスイッチが直列に接続されており、制御部は、スイッチの断続状態を変更することにより、複数のコンデンサの選択状態を変更することが望ましい。これにより、コンデンサの接続状態を容易に切り替えることが可能になる。
【００１３】
また、上述した一のコンデンサに一のスイッチが直列に接続された直列回路が複数組備わっており、これら複数組の直列回路がアンテナコイルに並列に接続されていることが望ましい。これにより、アンテナコイルと並列接続するコンデンサを切り替えることが可能になり、アンテナコイルとコンデンサからなる並列共振回路の共振周波数、すなわち同調回路の同調周波数を容易に変更することができる。
【００１４】
また、上述した制御部によって発振周波数が設定される局部発振回路と、局部発振回路を用いて生成される局部発振信号と同調回路による同調動作によって得られる高周波信号とを周波数混合する混合回路とをさらに備えることが望ましい。制御部によって局部発振回路と同調回路の両方を制御することにより、局部発振信号の周波数と同調周波数を連動させて変更することが可能になる。
【００１５】
また、上述した複数のコンデンサおよび複数のスイッチは、制御部が形成された半導体基板上に形成されていることが望ましい。これにより、アンテナコイルやスピーカ等の部品を除くほとんどの部品を半導体基板上に一体形成することができ、ＶＨＦ帯受信機全体の小型化、低コスト化が可能になる。また、複数のコンデンサおよび複数のスイッチと同じ半導体基板上に制御部を形成することにより、制御部によるスイッチの切り替え制御が容易になり、かつ、外付け部品を減らすことができる。さらに、複数のコンデンサの相対比のばらつきを小さくすることができる。
【００１６】
また、上述したアンテナコイルは、一方端が接地され、他方端が複数のコンデンサに直接接続されていることが望ましい。アンテナコイルの一方端のみを複数のコンデンサに直接接続すればよいため、配線の簡略化が可能になる。特に、複数のコンデンサを半導体基板上に形成した場合には、アンテナコイルと複数のコンデンサとを直接接続するために用いられる専用のパッドが一つですむため、半導体基板上のパッド数を減らすことができる。
【００１７】
また、上述したアンテナコイルは、接地されたセンタータップを有しており、両端のそれぞれが複数のコンデンサの両端に直接接続されていることが望ましい。あるいは、上述した複数のコンデンサのそれぞれは、容量値がほぼ同じに設定された２つのコンデンサが直列接続されており、２つのコンデンサの接続点が接地されているとともに、これら２つのコンデンサからなる直列回路の両端がアンテナコイルの両端に直接接続されていることが望ましい。これにより、アンテナコイルと複数のコンデンサによって構成される同調回路から出力される信号の振幅を増大させることが可能になり、感度および選択度を向上させることができる。
【発明を実施するための最良の形態】
【００１８】
以下、本発明を適用した一実施形態のＦＭ受信機について詳細に説明する。図１は、一実施形態のＦＭ受信機の構成を示す図である。図１に示すＦＭ受信機１００は、アンテナコイル１、可変容量回路２、高周波増幅回路１１、混合回路１２、局部発振回路１３、中間周波フィルタ１４、１６、中間周波増幅回路１５、ＦＭ検波回路１８、ステレオ復調回路１９、制御部２０、選択回路２２を含んで構成されている。これらの構成は、アンテナコイル１を除く各構成がＣＭＯＳプロセスを用いて半導体基板上に１チップ部品１０として形成されている。１チップ部品１０とアンテナコイル１との接続は、半導体基板上に形成されたパッド３を介して行われる。
【００１９】
アンテナコイル１は、フェライト系の磁性芯に巻回されている。例えば、直径が２〜３ｍｍで長さが１ｃｍ程度のフェライト系の磁性芯が用いられ、その周囲に導線を巻回することにより、数ｋΩ程度のインピーダンスを有するアンテナコイル１が形成されている。
【００２０】
可変容量回路２は、容量性回路であって、複数のコンデンサ３１と、複数のスイッチ３２によって構成されている。一のコンデンサ３１と一のスイッチ３２の直列回路が複数組備わって可変容量回路２が構成されており、これら複数組の直列回路のそれぞれがアンテナコイル１に並列に接続されている。それぞれのスイッチ３２は互いに独立して断続状態を設定することが可能であり、閉成（オン）されたスイッチ３２に接続されたコンデンサ３１が選択的にアンテナコイル１に接続される。スイッチ３２は、例えば、ｐチャネルＦＥＴとｎチャネルＦＥＴの各ソース・ドレイン間が並列接続されたアナログスイッチを用いて実現される。
【００２１】
上述したようにアンテナコイル１と可変容量回路２とが並列接続されてＬＣ共振回路が形成されており、この共振回路の共振周波数に相当する同調周波数とその近傍の放送波を選択的に通過させる同調回路としてアンテナコイル１と可変容量回路２が動作する。
【００２２】
高周波増幅回路１１は、可変容量回路２から出力される信号に対して高周波増幅を行う。局部発振回路１３は、受信を希望する放送波の周波数に対して中間周波数だけずれた局部発振信号を生成する。
【００２３】
制御部２０は、ＦＭ受信機１００の全体動作を制御しており、局部発振回路１３によって生成する局部発振信号の周波数を設定することにより、受信対象となる放送波を決定する選局動作を行う。この制御部２０は、ＣＰＵやメモリによって構成されており、所定のプログラムを実行することにより制御動作を行う。
【００２４】
選択回路２２は、制御部２０から入力される設定データに対して所定のデコード処理を行って、可変容量回路２内の各スイッチ３２の断続状態を制御する切替信号を生成する。スイッチ３２の数をｍとするとこの切替信号の数もｍとなる。各切替信号は、電圧レベルがローレベルあるいはハイレベルのいずれかの状態に設定される。例えば、電圧レベルがローレベルの切替信号が入力されるとスイッチ３２が開成（オフ）され、電圧レベルがハイレベルの切替信号が入力されるとスイッチ３２が閉成（オン）される。また、各切替信号は、選択的に一つのみがハイレベルに設定される場合と、２つ以上が選択的に組み合わされてハイレベルに設定される場合とが考えられる。
【００２５】
混合回路１２は、高周波増幅回路１１から出力される信号と、局部発振回路１３から出力される局部発振信号とを混合して、その差（あるいは和）成分に対応する信号を出力する。中間周波フィルタ１４、１６は、中間周波増幅回路１５の前段および後段に設けられており、入力される中間周波信号から所定の帯域成分のみを抽出する。中間周波増幅回路１５は、中間周波フィルタ１４、１６を通過する一部の中間周波信号を増幅する。ＦＭ検波回路１８は、後段の中間周波フィルタ１６から出力され、リミット回路（図示せず）を通した後の振幅一定の信号に対してＦＭ検波処理を行う。ステレオ復調回路１９は、ＦＭ検波回路１８から出力されるＦＭ検波後のコンポジット信号に対してステレオ復調処理を行って、Ｌ信号およびＲ信号を生成する。
【００２６】
操作部４０は、利用者による選局操作や音量設定操作等を行うためのものであり、これらの操作に必要な各種操作キーや操作つまみ類が備わっている。表示部４２は、利用者に対して各種の情報を通知するためのものであり、受信中の放送波の周波数やこの放送波に対応する放送局名を表示したり、音量レベル等を表示する。
【００２７】
このように、本実施形態のＦＭ受信機１００では、磁性芯とアンテナコイル１とからなるアンテナを用いることにより、小型のアンテナを実現することができるため、アンテナ設置の自由度を高めるとともにＦＭ受信機１００全体の小型化が容易となる。例えば、ＦＭ受信機用に３００Ωのインピーダンスを有するアンテナを実現する場合には、長さが１ｃｍ程度の磁性芯を用いることができるため、従来のロッドアンテナ、線状アンテナ、ヘリカル・ループ型面界輻射アンテナなどに比べて大幅な小型化が可能になる。
【００２８】
また、受信対象の放送波の周波数に同調周波数を一致させる設定動作を制御部２０によって行っており、受信を希望する放送波の周波数近傍の信号を選択的に通過させることができるため、従来のロッドアンテナ等を用いた場合のように固定の同調周波数が設定されている場合に比べて、ＦＭ全周波数帯域において感度や選択度を向上させることが可能となる。また、制御部２０は、同調回路の同調周波数に連動させて局部発振回路１３の発振周波数を変更する制御を行っており、同調回路の同調周波数と局部発振回路１３の発振周波数とを連動させることにより、さらに感度や選択度を向上させたスーパーへテロダイン方式のＦＭ受信機１００を実現することが可能になる。
【００２９】
また、可変容量回路２やその他の回路を制御部２０が形成された半導体基板上に形成しているため、磁性芯に巻回されたアンテナコイル１のみを外付け部品として同調周波数が変更可能な同調回路やＦＭ受信機１００を構成することができ、ＦＭ受信機１００全体の小型化が可能となる。また、複数のコンデンサ３１および複数のスイッチ３２と同じ半導体基板上に制御部２０を形成することにより、制御部２０によるスイッチ３２の切り替え制御が容易になり、かつ、外付け部品を減らすことができる。さらに、複数のコンデンサ３１の相対比のばらつきを小さくすることができる。
【００３０】
また、アンテナコイル１の一方端が接地され、他方端が容量性回路２に直接接続されたアンバランス型の構成とすることにより、配線の簡略化が可能になる。特に、容量性回路２を半導体基板上に形成した場合には、アンテナコイル１と容量性回路２とを直接接続するために用いられる専用のパッド３が一つですむため、半導体基板上のパッド数を減らすことができる。
【００３１】
また、可変容量回路２を複数のコンデンサ３１と複数のスイッチ３２とで構成し、これらのスイッチ３２の断続状態を制御部２０によって切り替えることにより、コンデンサ３１の接続状態を容易に切り替えて可変容量回路２全体の静電容量を容易に変更することが可能になる。
【００３２】
ところで、上述したＦＭ受信機１００では、一方端が接地されたアンバランス型のアンテナコイル１を用いたが、バランス型のアンテナコイルを用いるようにしてもよい。図２は、バランス型のアンテナコイルを用いたＦＭ受信機の部分的な構成を示す図である。図２に示すＦＭ受信機には、バランス型のアンテナコイル１Ａと、このアンテナコイル１Ａと組み合わされて同調回路を構成する可変容量回路２Ａと、差動増幅回路によって構成される高周波増幅回路１１Ａとが含まれている。それ以外の構成については、図１に示したＦＭ受信機１００と同じであり、図２における図示と詳細な説明は省略する。
【００３３】
アンテナコイル１Ａは、フェライト系の磁性芯に巻回されており、中央位置からセンタータップが引き出されている。このセンタータップは接地されている。アンテナコイル１Ａの両端は、半導体基板上に形成されたパッド３Ａ、３Ｂのそれぞれを介して可変容量回路２Ａに接続されている。
【００３４】
可変容量回路２Ａは、図１に示した可変容量回路２とほぼ同じ構成を有しており、複数のコンデンサ３１と複数のスイッチ３２とを備えている。但し、可変容量回路２ではコンデンサ３１とスイッチ３２からなる直列回路の一方端が接地されていたが、可変容量回路２Ａでは、コンデンサ３１とスイッチ３２からなる直列回路の両端がパッド３Ａ、３Ｂに接続されていて、接地されていない点が異なっている。
【００３５】
このようにバランス型のアンテナコイル１Ａを用いることにより、接地されたセンタータップの電位を中心として正負反対側の振幅を合計することができるため、同調回路から高周波増幅回路１１Ａに入力される放送波信号のゲインをほぼ６ｄＢ高くすることができる。高周波増幅回路１１Ａは、可変容量回路２Ａから出力される放送波信号を差動増幅して、後段の混合回路１２に入力する。そうすることにより、ダイナミックレンジを大きくすることができる。
【００３６】
図３は、ＦＭ受信機の変形例の部分的な構成を示す図である。図２に示したＦＭ受信機では、アンテナコイル１Ａにセンタータップを設けて接地することにより、バランス型の構成を実現したが、図３に示すように、可変容量回路内のコンデンサにセンタータップを設けて接地することによっても、同様のバランス型の構成を実現することができる。
【００３７】
図３に示すＦＭ受信機には、アンテナコイル１Ｂと、このアンテナコイル１Ｂと組み合わされて同調回路を構成する可変容量回路２Ｂと、差動増幅回路によって構成される高周波増幅回路１１Ａとが含まれている。それ以外の構成については、図１に示したＦＭ受信機１００と同じであり、図３における図示と詳細な説明は省略する。
【００３８】
アンテナコイル１Ｂは、フェライト系の磁性芯に巻回されている。このアンテナコイル１Ｂの両端は、半導体基板上に形成されたパッド３Ａ、３Ｂのそれぞれを介して可変容量回路２Ｂに接続されている。
【００３９】
可変容量回路２Ｂは、複数のコンデンサ３１および複数のスイッチ３２の他に、これらと同じ数の複数のコンデンサ３３および複数のスイッチ３４を備えている。コンデンサ３１、スイッチ３２、３４、コンデンサ３３からなる複数組の直列回路がパッド３Ａ、３Ｂ間に接続されている。この直列回路は、スイッチ３２、３４の接続点にセンタータップが設けられており、このセンタータップが接地されている。一の直列回路に含まれる容量性素子としてのコンデンサ３１、３３の静電容量を同じ値に設定するとともに、これらのコンデンサ３１、３３に接続された２つのスイッチ３２、３４を同じタイミングで断続制御することにより、この直列回路の両端から図２に示す構成と同様の大きな振幅の放送波信号を出力することが可能になる。
【００４０】
さらに、図２に示した構成と図３に示した構成とを組み合わせてもよい。すなわち、図４に示すように、図２に示したアンテナコイル１Ａと図３に示した可変容量回路２Ｂを組み合わせてバランス型の同調回路を構成するようにしてもよい。
【００４１】
なお、本発明は上記実施形態に限定されるものではなく、本発明の要旨の範囲内において種々の変形実施が可能である。例えば、上述した実施形態では、ＦＭ受信機について説明したが、ＶＨＦ帯に含まれる他の信号を受信するＶＨＦ受信機に本発明を適用することができる。この場合に、ＶＨＦ受信機の復調方式は、ＦＭ復調方式に限定されず、ＡＭ復調方式やデジタル復調方式を採用するようにしてもよい。
【図面の簡単な説明】
【００４２】
【図１】一実施形態のＦＭ受信機の構成を示す図である。
【図２】バランス型のアンテナコイルを用いたＦＭ受信機の部分的な構成を示す図である。
【図３】ＦＭ受信機の変形例の部分的な構成を示す図である。
【図４】各コンデンサの静電容量の比を２のべき乗の値に設定する場合の変形例の説明図である。
【符号の説明】
【００４３】
１  アンテナコイル
２  可変容量回路
３  パッド
１０  １チップ部品
１１  高周波増幅回路
１２  混合回路
１３  局部発振回路
１４、１６  中間周波フィルタ
１５  中間周波増幅回路
１８  ＦＭ検波回路
１９  ステレオ復調回路
２０  制御部
２２  選択回路
４０  操作部
４２  表示部
１００  ＦＭ受信機
【図１】
2006080620.tif 000003
【図２】
2006080620.tif 000004
【図３】
2006080620.tif 000005
【図４】
2006080620.tif 000006